(57)【要約】【課題】  障子を変位させる開閉機構等とロック機構とを簡易な構成で連動させる。【解決手段】  動力発生部１７で動力が発生すると、当該動力は伝達部材１５を介して係合部７Ｂ（ロック機構７）及び作動部材９に伝達される。つまり、係合部７Ｂ及び作動部材９は機械的に連動して作動する。したがって、簡易な構成で作動部材９とロック機構７と連動させることが可能となる。そして、機械的に連動して作動する係合部７Ｂ及び作動部材９は、電気的な制御部を必要としない。【選択図】図１
2014240564.tif 000002
【特許請求の範囲】
【請求項１】
窓開口を縁取る枠体と、
前記窓開口を閉じた状態と前記窓開口を開いた状態との間で変位する障子と、
前記障子が前記枠体に対して変位することを規制して前記閉じた状態を保持するロック機構であって、前記障子に設けられた被係合部と係合する位置と前記被係合部から離間した位置との間で変位可能な係合部を有する前記ロック機構と、
前記開いた状態に位置する前記障子を前記閉じた状態側に変位させるとともに、前記枠体に対して変位可能な作動部材と、
動力を発生する動力発生部と、
前記動力発生部で発生した動力を前記係合部及び前記作動部材に伝達する伝達部材と
を備えることを特徴とする窓開閉装置。
【請求項２】
前記作動部材は、前記枠体に沿って平行変位可能であり、
さらに、前記障子及び前記作動部材のうち少なくとも一方には、他方と滑り接触することにより、前記作動部材の変位作動を前記障子の変位作動に変換するカム部が設けられていることを特徴とする請求項１に記載の窓開閉装置。
【請求項３】
前記枠体には、前記障子に設けられた被当接部に接触することにより、前記枠体に対する前記障子の最大変位量を規制する当接部が設けられており、
さらに、前記作動部材には、前記当接部と前記被当接部とが離間することを規制する規制部が設けられていることを特徴とする請求項１又は２に記載の窓開閉装置。
【請求項４】
前記伝達部材は、ギヤードケーブルにより構成されていることを特徴とする請求項１ないし３のいずれか１項に記載の窓開閉装置。
【請求項５】
前記障子には、重力を利用して前記障子を前記開いた状態側に変位させる錘部が設けられていることを特徴とする請求項１ないし４のいずれか１項に記載の窓開閉装置。
【請求項６】
前記障子は前記枠体に対して揺動変位可能であり、
さらに、前記被係合部は、前記障子の揺動中心軸線から離間した部位であって、前記揺動中心軸線と平行な部位に設けられていることを特徴とする請求項５に記載の窓開閉装置。
【請求項７】
前記揺動中心軸線は水平方向に平行であり、
前記係合部は前記枠体の下端側に設けられ、かつ、前記被係合部は前記障子の下端側に設けられていることを特徴とする請求項６に記載の窓開閉装置。
【請求項８】
請求項１ないし７のいずれか１項に記載の窓開閉装置を備えたことを特徴とする窓。
【発明の詳細な説明】
【技術分野】
【０００１】
本発明は、窓開閉装置及び窓に関する。
【背景技術】
【０００２】
例えば、特許文献１に記載の発明では、障子を揺動変位させるための開閉機構、及び障子を閉じた状態を保持するロック機構を備えている。そして、開閉機構用の電動モータとロック機構用の電動モータとを制御部を介して電気的に連動させて制御している。
【先行技術文献】
【特許文献】
【０００３】
【特許文献１】特開２００５−１０５７９８号公報
【発明の概要】
【発明が解決しようとする課題】
【０００４】
しかし、特許文献１に記載の発明では、２つの電動モータを制御部を介して電気的に連動させて制御しているので、制御部の構成を簡略化することが難しい。
本発明は、上記点に鑑み、障子を変位させる開閉機構等とロック機構とを簡易な構成で連動させることを目的とする。
【課題を解決するための手段】
【０００５】
本発明は、上記目的を達成するために、窓開口（１Ａ）を縁取る枠体（３）と、窓開口（１Ａ）を閉じた状態と窓開口（１Ａ）を開いた状態との間で変位する障子（５）と、障子（５）が枠体（３）に対して変位することを規制して閉じた状態を保持するロック機構であって、障子（５）に設けられた被係合部（７Ａ）と係合する位置と被係合部（７Ａ）から離間した位置との間で変位可能な係合部（７Ｂ）を有するロック機構（７）と、開いた状態に位置する障子（５）を閉じた状態側に変位させるとともに、枠体（３）に対して変位可能な作動部材（９）と、動力を発生する動力発生部（１７）と、動力発生部（１７）で発生した動力を係合部（７Ｂ）及び作動部材（９）に伝達する伝達部材（１５）とを備えることを特徴とする。
【０００６】
これにより、本発明では、動力発生部（１７）で動力が発生すると、当該動力は伝達部材（１５）を介して係合部（７Ｂ）及び作動部材（９）に伝達される。つまり、本発明では、係合部（７Ｂ）及び作動部材（９）は機械的に連動して作動する。
【０００７】
したがって、本発明では、簡易な構成で作動部材（９）とロック機構（７）と連動させることが可能となる。そして、機械的に連動して作動する係合部（７Ｂ）及び作動部材（９）は、電気的な制御部を必要としない。このため、本発明に係る動力発生部（１７）は、動力源を問わない。つまり、手動操作方式は勿論のこと、電動モータ方式にも本発明を適用できる。
【０００８】
ところで、作動部材（９）と係合部（７Ｂ）との離間距離が大きいと、閉じた状態を保持する力、つまり閉じた状態の障子（５）を開いた状態とするに必要な力を大きくしつつ、閉じた状態において枠体（３）に作用する力を小さくする観点において有利である。
【０００９】
つまり、本発明は、上記有利を確保しつつ、簡易な構成で作動部材（９）とロック機構（７）と連動させることを可能とできる。
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１０】
【図１】本発明の第１実施形態に係る窓開閉装置及び窓の正面図である。
【図２】第１実施形態における閉鎖状態の窓開閉装置を示す説明図である。
【図３】（ａ）は第１実施形態における換気状態の窓開閉装置を示す説明図である。（ｂ）は第１実施形態における排煙状態の窓開閉装置を示す説明図である。
【図４】（ａ）は係合部７Ｂと被係合部７Ａとを水平方向から見た図である。（ｂ）は係合部７Ｂと被係合部７Ａとを上側から見た図である。
【図５】（ａ）は閉鎖状態のロック機構７の状態を示す図である。（ｂ）は換気状態のロック機構７の状態を示す図である。（ｃ）は排煙状態のロック機構７の状態を示す図である。
【図６】作動部材９を上側から見た図である。
【図７】第２実施形態における閉鎖状態の窓開閉装置を示す説明図である。
【図８】（ａ）は第２実施形態における換気状態の窓開閉装置を示す説明図である。（ｂ）は第２実施形態における排煙状態の窓開閉装置を示す説明図である。
【図９】本発明の第３実施形態に係る窓開閉装置及び窓の正面図である。
【発明を実施するための形態】
【００１１】
以下に説明する「発明の実施形態」は実施形態の一例を示すものである。つまり、特許請求の範囲に記載された発明特定事項等は、下記の実施形態に示された具体的手段や構造等に限定されるものではない。
【００１２】
そして、本実施形態は、排煙窓用の窓開閉装置に本発明を適用したものである。以下、本発明の実施形態を図面と共に説明する。
なお、各図に付された方向を示す矢印等は、各図相互の関係を理解し易くするために記載したものであり、本発明は、各図に付された方向に限定されるものではない。少なくとも符号を付して説明した部材又は部位は、「複数」や「２つ以上」等の断りをした場合を除き、少なくとも１つ設けられている。
【００１３】
（第１実施形態）
１．窓開閉装置の構成
図１に示す排煙窓１は、枠体３及び障子５を有している。枠体３は、外壁等の建築物（図示せず）の壁に設けられた窓開口１Ａを縁取る窓枠である。本実施形態に係る窓開口１Ａは矩形状であるため、枠体３も矩形枠状に形成されている。
【００１４】
なお、枠体３は、アルミニウム等の軽金属製である。当該枠体３は、一対の縦枠部３Ａ及び一対の横枠部３Ｂを有する。一対の縦枠部３Ａは、障子５を挟んで水平方向両側に位置する。一対の横枠部３Ｂは、障子５を挟んで鉛直方向両側に位置する。
【００１５】
障子５は、枠体３に対して変位可能である。すなわち、障子５は、窓開口１Ａを閉じた状態と窓開口１Ａを開いた状態との間で変位できる。本実形態に係る障子５は、揺動軸５Ａを介して枠体３に対して揺動可能に組み付けられている。障子５は矩形枠状の枠部５Ｃを有している。枠部５Ｃには、ガラス板や金属板等の板状部材が嵌め込まれている。なお、枠部５Ｃはアルミニウム等の軽金属製である。
【００１６】
各揺動軸５Ａは、各縦枠部３Ａに組み付けられている。障子５の揺動中心軸線Ｌ１は、水平方向に平行となっている。そして、窓開口１Ａを開いた状態では、図３（ａ）に示すように、障子５の上端が枠体３より室内側に変位し、障子５の下端が枠体３より室外側に変位する。
【００１７】
窓開口１Ａを閉じた状態では、図２に示すように、障子５は、縦枠部３Ａと略平行となるとともに、障子５の少なくとも一部が枠体３内に収納された状態となる。障子５には錘部５Ｂが設けられている。
【００１８】
錘部５Ｂは、重力を利用して障子５を開いた状態側に変位させる。このため、錘部５Ｂは、障子５に対して障子５の変位方向にずれた位置に設けられている。なお、障子５の変位方向とは、閉じた状態にある障子５に対してずれた位置をいう。
【００１９】
本実施形態では、揺動中心軸線Ｌ１の位置、つまり揺動軸５Ａの位置は、縦枠部３Ａの長手方向寸法中央より上側に設定されている。このため、障子５それ自体は、窓開口１Ａを閉じた状態とする向きに揺動変位する。そこで、本実施形態に係る錘部５Ｂは、障子５の上端側であって、閉じた状態にある障子５に対して室内側にずれた位置に設けられている。
【００２０】
ロック機構７は、障子５が枠体３に対して変位することを規制し、かつ、閉じた状態を保持する。当該ロック機構７は、図４（ａ）に示すように、係合部７Ｂ及び被係合部７Ａ等を有する。被係合部７Ａ及び係合部７Ｂ、つまりロック機構７は、図５（ａ）に示すように、複数設けられている。
【００２１】
一対の被係合部７Ａ及び一対の係合部７Ｂは、それぞれ水平方向において対称の位置に設けられている。一対の被係合部７Ａ及び一対の係合部７Ｂは、形状も含めて対称の関係である。そこで、以下、図５（ａ）において右側に位置する係合部７Ｂ及び被係合部７Ａを例にロック機構７の詳細を説明する。
【００２２】
図４（ｂ）に示すように、被係合部７Ａは障子５に設けられている。係合部７Ｂが被係合部７Ａと係合すると、閉じた状態が保持される。被係合部７Ａは、図４（ａ）に示すように、円筒状又は円柱状の部位であって、ステー部材５Ｄを介して障子５の枠部５Ｃに固定されている。
【００２３】
ステー部材５Ｄは、枠部５Ｃのうち、揺動中心軸線Ｌ１から離間した部位であって揺動中心軸線Ｌ１と平行な部位、つまり枠部５Ｃの下端側に固定されている。ステー部材５Ｄは、溶接等の接合手段又はねじ等の機械的締結手段にて枠部５Ｃに固定されている。被係合部７Ａもステー部材５Ｄと同様な手法にてステー部材５Ｄに固定されている。
【００２４】
なお、枠体３には、障子５が閉じた状態となったときに、障子５の枠部５Ｃと接触する当接部（図示せず。）が設けられている。当接部のうち枠部５Ｃと接触する部位には、ゴム等の弾性変形可能なパッキンが設けられている。
【００２５】
そして、係合部７Ｂと被係合部７Ａとが係合した状態では、パッキンが潰れて弾性変形するとともに、枠部５Ｃとの接触面圧が、係合部７Ｂと被係合部７Ａとが係合する前に比べて上昇する。
【００２６】
係合部７Ｂは、図５（ａ）に示す位置と図５（ｃ）に示す位置との間で変位可能である。図５（ａ）に示す位置は、係合部７Ｂと被係合部７Ａと係合する位置（以下、係合位置という。）である。図５（ｂ）及び図５（ｃ）に示す位置は、係合部７Ｂが被係合部７Ａから離間した位置（以下、被係合位置という。）を示す。
【００２７】
係合部７Ｂは、図４（ｂ）に示すように、突起状の被係合部７Ａの突出方向と直交する方向に変位可能である。そして、係合位置では、係合部７Ｂは、被係合部７Ａに引っ掛かって被係合部７Ａと係合する。なお、係合部７Ｂは、フック状の穴であって、その外縁が略Ｊ字状に形成された穴である。
【００２８】
具体的には、係合部７Ｂは、略Ｕ字状又は半円状の円弧部７Ｃ及び誘導部７Ｄを有している。円弧部７Ｃは、係合部７Ｂと被係合部７Ａとが係合したとき、つまり図４（ｂ）に示す状態のときに被係合部７Ａの外周面に接触して被係合部７Ａと係合する。
【００２９】
誘導部７Ｄは、被係合位置から係合位置に向けて係合部７Ｂが変位する際に、被係合部７Ａを円弧部７Ｃに誘い込む。そして、係合部７Ｂと被係合部７Ａと係合すると、障子５の枠部５Ｃと上記パッキンが弾性変形し、障子５と枠体３との隙間が密閉される。
【００３０】
係合部７Ｂが設けられた金属製の変位部材７Ｅは、図４（ａ）に示すように、ガイドレール８により変位方向が案内される。ガイドレール８は、被係合部７Ａの突出方向と直交する方向（本実施形態では、横枠部３Ｂに沿った方向）に延びて枠体３又はその周囲に固定されている。
【００３１】
ガイドレール８は、金属製のレール本体８Ｂ及び樹脂製のケーブルガイド８Ｃを有している。レール本体８Ｂは、変位部材７Ｅに一体化された樹脂製のシュー８Ａと滑り接触（以下、摺接ともいう。）する。
【００３２】
このため、変位部材７Ｅは、がたつくことなく滑らかに変位できる。ケーブルガイド８Ｃは、第１伝達部材１５Ａを覆うとともに、第１伝達部材１５Ａと摺接可能な保護部材である。
【００３３】
ケーブルガイド８Ｃは、円筒状に形成された樹脂製の部材であって、その長手方向に沿って延びるスリット状の切り欠き穴を有する。そして、ケーブルガイド８Ｃは、インサート成形法等によりレール本体８Ｂに一体化されている。
【００３４】
第１伝達部材１５Ａは、連結部材７Ｆを介して変位部材７Ｅに連結されて変位部材７Ｅと一体的に変位する。そして、本実施形態に係る第１伝達部材１５Ａは、複数本の素線を撚り合わせた芯線に噛合線を螺旋状に巻き付けられてウォーム状にしたギヤードケーブルにて構成されている。
【００３５】
枠体３又は枠体３の周囲壁等には、図１に示すように、作動部材９が設けられている。作動部材９は、枠体３に対して変位することにより、開いた状態に位置する障子５を閉じた状態側に変位させる。
【００３６】
すなわち、作動部材９は、障子５を挟んで両側に設けられている。一対の作動部材９は、図２、図３（ａ）及び図３（ｂ）に示すように、枠体３のうち縦枠部３Ａに沿って平行変位可能である。このため、一対の縦枠部３Ａそれぞれには、縦枠部３Ａに平行に延びて作動部材９の変位を案内するガイドレール１１が設けられている。
【００３７】
ガイドレール１１は、図６に示すように、上記ガイドレール８と同一の構造である。すなわち、金属製のレール本体１１Ｂ及び樹脂製のケーブルガイド１１Ｃを有している。なお、ガイドレール１１は、ブラケット１１Ａを介して縦枠部３Ａに固定されている。
【００３８】
レール本体１１Ｂは、作動部材９に一体化された樹脂製のシュー９Ｂと摺接する。このため、作動部材９は、がたつくことなく滑らかに変位できる。ケーブルガイド１１Ｃは、第２伝達部材１５Ｂを覆うとともに、第２伝達部材１５Ｂと摺接可能な保護部材である。
【００３９】
第２伝達部材１５Ｂは、連結部材９Ｃを介して作動部材９に連結されている。このため、第２伝達部材１５Ｂは、作動部材９と一体的に変位する。第２伝達部材１５Ｂもギヤードケーブルにて構成されている。
【００４０】
第１伝達部材１５Ａと第２伝達部材１５Ｂとは、図１に示すように、一体化されて１本のギヤードケーブルとなっている。つまり、当該１本のギヤードケーブル（以下、伝達部材１５という。）の長手方向一端側が第１伝達部材１５Ａとして機能し、他端側が第２伝達部材１５Ｂとして機能する。
【００４１】
作動部材９は、図２に示すように、障子５に設けられたカム部１３と摺接する摺接部９Ａを有している。摺接部９Ａは、少なくともカム部１３と摺接する部位が曲面状となった部材である。なお、本実施形態に係る摺接部９Ａは、円柱状又は円筒状の突起部により構成されている。
【００４２】
カム部１３は、摺接部９Ａと摺接することにより、作動部材９の変位作動を障子５の変位作動に変換する。具体的には、本実施形態に係るカム部１３は、摺接部９Ａと摺接する第１被摺接部１３Ａ及び第２被摺接部１３Ｂを有している。
【００４３】
第１被摺接部１３Ａは、作動部材９の変位方向に対して傾斜した面であって、以下の傾斜の向きを有する傾斜面である。すなわち、第１被摺接部１３Ａは、摺接部９Ａとの接触部において、作動部材９が「閉じの向き」に変位したときに障子５を閉じた状態側に変位させる分力を発生させる向きに傾斜している。
【００４４】
「閉じの向き」とは、開いた状態に位置する障子５を閉じた状態側に変位させる際に、作動部材９が変位する向きをいう。なお、本実施形態に係る「閉じの向き」は、下側から上側に向かう向きである。なお、「閉じの向き」と逆向きを「開の向き」という。
【００４５】
第２被摺接部１３Ｂは、障子５が閉じた状態にあるときにおいて、作動部材９の変位方向と略平行となる面である。なお、第１被摺接部１３Ａは、障子５が閉じた状態にあるときにおいて、上方側に向かうほど室内側に近づくように傾斜している。
【００４６】
したがって、作動部材９が、閉じの向き、つまり下側から上側に変位すると、図３（ａ）に示すように、第１被摺接部１３Ａと摺接部９Ａとの接触部には、閉じた状態側に障子５を変位させる力Ｆ１が発生する。
【００４７】
つまり、閉じの向きに作動部材９が変位したときに、カム部１３は、摺接部９Ａと摺接しながら作動部材９の変位作動を障子５の変位作動に変換する。なお、力Ｆ１は、作動部材９がカム部１３に作用させる力Ｆｏの分力である。
【００４８】
作動部材９が、開の向き、つまり上側から下側に変位すると、上記力Ｆｏ及びＦ１が消失する。このため、錘部５Ｂに作用する重力による揺動軸５Ａ周りのモーメントによって、障子５は窓開口１Ａを開く向きに変位する。
【００４９】
そして、図３（ｂ）に示すように、摺接部９Ａがカム部１３から離間すると、障子５は、枠体３に設けられた当接部３Ｃと接触するまで変位する。つまり、当接部３Ｃは、障子５に設けられた被当接部５Ｅに接触することにより、枠体３に対する障子５の最大変位量を規制する。
【００５０】
本実施形態に係る被当接部５Ｅは、障子５の枠部５Ｃに設けられている。作動部材９には規制部９Ｄが設けられている。規制部９Ｄは、当接部３Ｃと被当接部５Ｅとが離間することを規制する。
【００５１】
すなわち、規制部９Ｄは、作動部材９の変位方向において、カム部１３を挟んで摺接部９Ａと反対側に配設されている。そして、障子５に設けられた被規制部５Ｆに規制部９Ｄが摺接部９Ａと反対側から接触することにより、当接部３Ｃと被当接部５Ｅとが離間することを規制する。
【００５２】
本実施形態に係る被規制部５Ｆはカム部１３に設けられている。具体的には、第２被摺接部１３Ｂの裏面に被規制部５Ｆが設けられている。なお、本実施形態に係るカム部１３は、少なくとも第１被摺接部１３Ａ及び第２被摺接部１３Ｂが設けられた板状のブラケットである。そして、当該ブラケット、つまりカム部１３は、障子５の枠部５Ｃ等にねじ等の機械的締結手段にて固定されている。
【００５３】
一対の伝達部材１５は、図１に示すように、その長手方向一端側にてウォームホィール状の第１歯車１５Ｃに噛み合っている。このため、第１歯車１５Ｃが回転すると、一対の伝達部材１５、つまり一対の第１伝達部材１５Ａ及び一対の第２伝達部材１５Ｂは、機械的に同期して変位するとともに、これに機械的に連動して作動部材９及び係合部７Ｂが変位する。
【００５４】
動力発生部１７は回転動力を発生する。動力発生部１７で発生した回転動力は、第３伝達部材１５Ｄ等を介して伝達部材１５に伝達される。第３伝達部材１５Ｄもギヤードケーブルで構成されている。
【００５５】
第３伝達部材１５Ｄ介して伝達された動力は、第２歯車１５Ｅに伝達される。第２歯車１５Ｅが回転すると、第１歯車１５Ｃが同期して回転するため、動力発生部１７で発生した動力は、係合部７Ｂ及び作動部材９に伝達される。
【００５６】
なお、第１歯車１５Ｃと第２歯車１５Ｅとは、同軸上に配置された状態で一体化されているとともに、歯車箱１５Ｆに収納されている。第３伝達部材１５Ｄも伝達部材１５と同様に、図５（ａ）に示すケーブルガイド１５Ｇ内に収納されている。
【００５７】
２．窓開閉装置の作動
本実施形態に係る動力発生部１７は電動モータにより動力を回転発生する。図１に示す操作パネル１７Ａは、動力発生部１７の作動、つまり電動モータの回転及び停止等を指示する第１操作部１７Ｂ〜第３操作部１７Ｄを有する。
【００５８】
＜閉鎖状態＞
窓開口１Ａが開いた状態、つまり、障子５が図３（ａ）又は図３（ｂ）に示す状態にあるときに第１操作部１７Ｂが操作されると、伝達部材１５を介して動力が作動部材９及び変位部材７Ｅに作用する。
【００５９】
そして、作動部材９、つまり摺接部９Ａは、カム部１３（第１被摺接部１３Ａ）と摺接しながら下側から上側に変位する。これにより、作動部材９の平行変位が障子５の揺動変位に変換されて、窓開口１Ａを閉じる向きに障子５が変位する。
【００６０】
窓開口１Ａが開いた状態にあるときには、係合部７Ｂは、図５（ｂ）又は図５（ｃ）に示すように、被係合部７Ａから離間している。変位部材７Ｅは、伝達部材１５（第１伝達部材１５Ａ）から動力を得て図５（ａ）に示す位置に変位する。このため、係合部７Ｂと被係合部７Ａとが係合し、障子５が枠体３に対して変位することを規制して閉じた状態が保持される。
【００６１】
なお、電動モータの停止は、以下のいずれかの手法により停止させられる。（ａ）第１操作部１７Ｂが操作されて電動モータへの通電が開始された時から予め決められた第１所定時間が経過したとき、（ｂ）電動モータに流れる電流値が予め決められた所定電流値を超えたとき、（ｃ）図示しない検出部により窓開口１Ａが閉じた状態であることが検知されたときに電動モータへの通電が停止する。
【００６２】
したがって、障子５が枠体３に対して変位することを規制して閉じた状態で第１操作部１７Ｂが操作されたとき、又は障子５が枠体３に対して変位することを規制して閉じた状態になったときに電動モータは停止する。
【００６３】
＜換気状態＞
窓開口１Ａが閉じた状態、つまり障子５が図２に示す状態にあるときに、第２操作部１７Ｃが操作されると、伝達部材１５を介して動力が作動部材９及び変位部材７Ｅに作用する。
【００６４】
そして、作動部材９が上側から下側に変位するため、図３（ａ）に示すように、錘部５Ｂに作用する重力によるモーメントによって障子５は窓開口１Ａを開く向きに変位する。なお、換気状態においては、摺接部９Ａがカム部１３と接触することにより、障子５の最大変位量が規制される。
【００６５】
窓開口１Ａが閉じた状態にあるときには、係合部７Ｂは、図５（ａ）に示すように、被係合部７Ａと係合している。変位部材７Ｅは、伝達部材１５（第１伝達部材１５Ａ）から動力を得て図５（ｂ）に示す位置に変位する。このため、係合部７Ｂと被係合部７Ａと離間し、障子５が枠体３に対して変位可能な状態となる。
【００６６】
図３（ｂ）に示す排煙状態、つまり規制部９Ｄと被規制部５Ｆとが接触した状態にあるときに、第２操作部１７Ｃが操作されると、作動部材９が下側から図３（ａ）に示す位置まで変位する。このため、摺接部９Ａとカム部１３（第１被摺接部１３Ａ）とが接触しながら作動部材９が上側に変位するため、障子５は、後述する排煙状態よりも窓開口１Ａを閉じる向き側に変位する。
【００６７】
＜排煙状態＞
窓開口１Ａが閉じた状態又は換気状態にあるときに、第３操作部１７Ｄが操作されると、伝達部材１５を介して動力が作動部材９及び変位部材７Ｅに作用する。
【００６８】
そして、作動部材９が上側から図３（ｂ）に示す位置まで変位するため、当接部３Ｃと被当接部５Ｅと接触して障子５が最大変位した状態となるとともに、規制部９Ｄと被規制部５Ｆとが接触する。このため、当接部３Ｃと被当接部５Ｅとが離間することが規制される。
【００６９】
なお、本実施形態では、障子５の位置を検知する検出部（図示せず。）が設けられている。閉鎖状態、換気状態及び排煙状態のいずれの状態に障子５が位置するかは、当該検出部からの信号を利用して判断される。
【００７０】
３．本実施形態に係る窓開閉装置の特徴
本実施形態では、動力発生部１７で動力が発生すると、当該動力は伝達部材１５を介して係合部７Ｂ及び作動部材９に伝達される。つまり、本実施形態では、係合部７Ｂ及び作動部材９は機械的に連動して作動する。
【００７１】
したがって、本実施形態では、簡易な構成で作動部材９とロック機構７と連動させることが可能となる。そして、機械的に連動して作動する係合部７Ｂ及び作動部材９は、電気的な制御部を必要としない。
【００７２】
ところで、作動部材９と係合部７Ｂとの離間距離が大きいと、閉じた状態を保持する力、つまり閉じた状態の障子５を開いた状態とするに必要な力を大きくしつつ、閉じた状態において枠体３に作用する力を小さくする観点において有利である。
【００７３】
そこで、本実施形態では、係合部７Ｂを枠体３の下端側に設け、かつ、窓開口１Ａが閉じられた状態において、摺接部９Ａを揺動軸５Ａより上方側に位置させることにより、上記有利を確保しつつ、簡易な構成で作動部材９とロック機構７と連動させている。
【００７４】
本実施形態では、作動部材９は、枠体３に沿って平行変位可能であり、さらに、障子５には、作動部材９と滑り接触することにより、作動部材９の変位作動を障子５の変位作動に変換するカム部１３が設けられていることを特徴としている。
【００７５】
これにより、本実施形態では、作動部材９が変位したときに、作動部材９が室内側に大きく突出変位することを抑制できる。したがって、窓開閉装置の意匠性が著しく損なわれることを抑制できる。
【００７６】
因みに、特許文献１に記載の窓開閉装置では、枠体に揺動可能に組み付けられた規制アームにより障子を閉じる向きに変位させる。このため、規制アームが揺動作動すると、規制アームが室内側に大きく突出変位するので、窓開閉装置の意匠性が著しく損なわれる。
【００７７】
（第２実施形態）
第１実施形態に係る排煙窓１は、障子５が枠体３に対して揺動する方式であったが、本実施形態は、いわゆる「滑り出し窓」に本発明を適用したものである。「滑り出し窓」とは、例えば、図７及び図８（ａ）等に示すように、障子５の揺動軸５Ａが枠体３に対して変位する窓装置である。
【００７８】
以下、第１実施形態に係る排煙窓及び窓開閉装置と異なる部位のみを説明する。なお、第１実施形態に係る窓開閉装置等と同一の定義で特定される部位には、第１実施形態と同一の符号が付されている。
【００７９】
１．窓開閉装置の構成
図７に示すように、揺動軸５Ａは、枠体３に連結された第１アーム４Ａの長手方向一端側に設けられ、かつ、障子５の枠部５Ｃに揺動可能に連結されている。第１アーム４Ａの長手方向他端側は、枠体３又はその周囲に揺動可能に連結されている。
【００８０】
第２アーム４Ｂの長手方向一端側は、障子５の枠部５Ｃに揺動可能に連結されている。第２アーム４Ｂの長手方向他端側は、枠体３又はその周囲に揺動可能に連結されている。
第２アーム４Ｂと枠部５Ｃとの連結部は、第１アーム４Ａと揺動軸５Ａとの連結部から少なくとも上下方向にずれた位置である。第２アーム４Ｂと枠体３等との連結部は、第１アーム４Ａと枠体３等との連結部から少なくとも上下方向にずれた位置である。つまり、本実施形態では、枠部５Ｃ（障子５）、第１アーム４Ａ、第２アーム４Ｂ及び枠体３等により四節リンク機構が構成されている。
【００８１】
なお、「滑り出し窓」では、図８（ｂ）に示すように、規制部９Ｄと第２アーム４Ｂ及び当接部３Ｃと第１アーム４Ａとが接触することにより、障子５の最大変位量が規制される。因みに、本実施形態に係る錘部５Ｂは、枠部５Ｃの下端側に内蔵されている。
【００８２】
２．窓開閉装置の作動
＜閉鎖状態＞
窓開口１Ａが開いた状態、つまり、障子５が図８（ａ）又は図８（ｂ）に示す状態にあるときに第１操作部１７Ｂが操作されると、伝達部材１５を介して動力が作動部材９及び変位部材７Ｅに作用する。
【００８３】
そして、作動部材９、つまり摺接部９Ａは、カム部１３を兼ねる第２アーム４Ｂと摺接しながら下側から上側に変位する。これにより、作動部材９の平行変位が障子５の揺動変位に変換されて、図７に示すように、窓開口１Ａを閉じる向きに障子５が変位する。なお、ロック機構７の作動は、第１実施形態と同じである。
【００８４】
＜換気状態＞
窓開口１Ａが閉じた状態にあるときに、第２操作部１７Ｃが操作されると、伝達部材１５を介して動力が作動部材９及び変位部材７Ｅに作用する。そして、作動部材９が上側から下側に変位するため、図８（ａ）に示すように、錘部５Ｂ及び障子５に作用する重力により第１アーム４Ａが下方側に倒れるように揺動する。
【００８５】
このため、窓開口１Ａを開く向きのモーメントが障子５に作用するため、障子５は窓開口１Ａが開く向きに変位する。そして、摺接部９Ａが第２アーム４Ｂと接触することにより、障子５の最大変位量が規制される。なお、ロック機構７の作動は、第１実施形態と同じである。
【００８６】
図８（ｂ）に示す排煙状態にあるときに、第２操作部１７Ｃが操作されると、作動部材９が下側から図８（ａ）に示す位置まで変位する。このため、摺接部９Ａと第２アーム４Ｂとが接触しながら作動部材９が上側に変位するため、障子５は、排煙状態よりも窓開口１Ａを閉じる向き側に変位する。
【００８７】
＜排煙状態＞
窓開口１Ａが閉じた状態又は換気状態にあるときに、第３操作部１７Ｄが操作されると、伝達部材１５を介して動力が作動部材９及び変位部材７Ｅに作用する。そして、作動部材９が上側から図８（ｂ）に示す位置まで変位するため、規制部９Ｄと第２アーム４Ｂ及び当接部３Ｃと第１アーム４Ａとが接触することにより、障子５が最大変位した状態となるとともに、障子５の最大変位量が規制される。
【００８８】
（第３実施形態）
上述の実施形態では、第１伝達部材１５Ａ、第２伝達部材１５Ｂ及び第３伝達部材１５Ｄ（以下、これらを総称するときは「伝達部材１５」いう。）は、ギヤードケーブルにより構成されていたが、本実施形態では、図９に示すように、シャフト１５Ｈにより伝達部材１５を構成したものである。なお、図９では枠体３は省略されている。
【００８９】
シャフト１５Ｈは、中心軸線周りに回転しながら動力を伝達する。そして、作動部材９及び変位部材７Ｅでは、ねじの原理により、シャフト１５Ｈを介して伝達された回転動力を平行移動力に変換する。なお、回転動力の伝達の向きが転向される部位には、傘歯車等を有する転向ボックス１５Ｉ等が設けられている。
【００９０】
（その他の実施形態）
上述の実施形態の実施形態に係る動力発生部１７は電動モータを利用したものであったが、本実施形態はこれに限定されるものではなく、ハンドルボックス等の手動ハンドルにて動力を発生させるものであってもよい。
【００９１】
上述の実施形態に係る障子５は、水平方向に延びる揺動中心軸線Ｌ１を有して枠体３に対して揺動する方式であったが、本発明はこれに限定されるものではなく、例えば、鉛直方向に延びる揺動中心軸線Ｌ１を有する障子５、又は障子５が枠体３に対して平行移動する方式であってもよい。
【００９２】
上述の実施形態に係る作動部材９は枠体３に沿って平行変位する方式であったが、本発明はこれに限定されるものではなく、例えば、作動部材９が回転又は揺動する方式であってもよい。なお、作動部材９が回転又は揺動する方式であれば、カム部１３を廃止することが可能となる。
【００９３】
上述の実施形態では、窓開口１Ａが開いた状態として、換気状態及び排煙状態が設定されていたが、本発明はこれに限定されるものではなく、例えば、換気状態及び排煙状態のうちいずれか一方の状態を窓開口１Ａが開いた状態とした窓開閉装置であってもよい。
【００９４】
上述の実施形態では、障子５の位置を検知する検出部を設けていたが、本発明はこれに限定されるものではなく、例えば、換気状態及び排煙状態にする際には、一度、閉鎖状態にし、電動モータに流れる電流値が予め所定電流値を越えた時に、電動モータの回転を反転させて換気状態又は排煙状態としてもよい。
【００９５】
上述の実施形態では、１つの動力発生部１７にて１つ窓開閉装置を作動させるものであったが、本発明はこれに限定されるものではなく、１つの動力発生部１７にて複数の窓開閉装置を作動させてもよい。
【００９６】
具体的には、１本の第３伝達部材１５Ｄにて複数の歯車箱１５Ｆに動力を伝達する構成、又は複数本の第３伝達部材１５Ｄにて複数の歯車箱１５Ｆそれぞれに動力を伝達する構成としてもよい。
【００９７】
上述の実施形態では、カム部１３が障子５に設けられていたが、本発明はこれに限定されるものではなく、例えば、カム部１３を作動部材９に設け、かつ、摺接部９Ａを障子５に設けてもよい。
【００９８】
上述の実施形態では、伝達部材１５として、ギヤードケーブル又はシャフトを用いたが、本発明はこれに限定されるものではなく、例えば伝達部材１５としてコントロールケーブル等を用いてもよい。
【００９９】
上述の実施形態では、係合部７Ｂと被係合部７Ａ及び作動部材９はそれぞれ一対設けられていたが、本発明はこれに限定されるものではなく、例えば、窓のサイズによっては１つ設けるだけでもよい。
【０１００】
また、本発明は、特許請求の範囲に記載された発明の趣旨に合致するものであればよく、上述の実施形態に限定されるものではない。
【符号の説明】
【０１０１】
１… 排煙窓  １Ａ… 窓開口  ３… 枠体  ３Ａ… 縦枠部  ３Ｂ… 横枠部
３Ｃ… 当接部  ４Ａ… 第１アーム  ４Ｂ… 第２アーム  ５… 障子
５Ａ… 揺動軸  ５Ｃ… 枠部  ５Ｂ… 錘部  ５Ｄ… ステー部材
５Ｅ… 被当接部  ５Ｆ… 被規制部  ７… ロック機構  ７Ｂ… 係合部
７Ａ… 被係合部  ７Ｃ… 円弧部  ７Ｄ… 誘導部  ７Ｅ… 変位部材
７Ｆ… 連結部材  ８… ガイドレール  ８Ｂ… レール本体
８Ｃ… ケーブルガイド  ８Ａ… シュー  ９… 作動部材  ９Ａ…摺接部
９Ｂ… シュー  ９Ｃ… 連結部材  ９Ａ… 摺接部  ９Ｄ… 規制部
１１… ガイドレール  １１Ｂ… レール本体  １１Ｃ… ケーブルガイド
１１Ａ… ブラケット  １３… カム部  １３Ａ… 第１被摺接部
１３Ｂ… 第２被摺接部  １５… 伝達部材  １５Ａ… 第１伝達部材
１５Ｂ… 第２伝達部材  １５Ｃ… 第１歯車  １５Ｄ… 第３伝達部材
１５Ｅ… 第２歯車  １７… 動力発生部  １７Ａ… 操作パネル
１７Ｂ… 第１操作部  １７Ｃ… 第２操作部  １７Ｄ… 第３操作部
【図１】
2014240564.tif 000003
【図２】
2014240564.tif 000004
【図３】
2014240564.tif 000005
【図４】
2014240564.tif 000006
【図５】
2014240564.tif 000007
【図６】
2014240564.tif 000008
【図７】
2014240564.tif 000009
【図８】
2014240564.tif 000010
【図９】
2014240564.tif 000011
【手続補正書】
【提出日】平成26年6月2日(2014.6.2)
【手続補正１】
【補正対象書類名】図面
【補正対象項目名】図１
【補正方法】変更
【補正の内容】
【図１】
2014240564.tif 000012
【手続補正２】
【補正対象書類名】図面
【補正対象項目名】図２
【補正方法】変更
【補正の内容】
【図２】
2014240564.tif 000013
【手続補正３】
【補正対象書類名】図面
【補正対象項目名】図９
【補正方法】変更
【補正の内容】
【図９】
2014240564.tif 000014